(57)【特許請求の範囲】
【請求項１】
個人の指紋情報を読み取り可能な指紋情報読取り部と、
開閉可能なゲートを有し入場者の単独通過を許容する狭幅通路と、
前記指紋情報と予め登録された許可指紋情報が一致した場合に前記ゲートの開放を行う入場制御部と、
前記指紋情報の読み取りが行なわれると、前記指紋情報読取り部に対して指紋の読み取りを一時的に停止させる読取り制御部と、
を含むことを特徴とする入場管理システム。
【請求項２】
パーソナルデータを保持する記録媒体からパーソナルデータを読み取り可能なパーソナルデータ読取り部と、
個人の指紋情報を読み取り可能な指紋情報読取り部と、
前記パーソナルデータが所定の許可パーソナルデータと一致するか、あるいは前記指紋情報が所定の許可指紋情報と一致した場合に入場を許容する入場制御部と、
前記パーソナルデータが前記所定の許可パーソナルデータと一致した場合、前記指紋情報読取り部に対して指紋の読み取りを一時的に停止させ、前記指紋情報が前記所定の許可指紋情報と一致した場合、前記パーソナルデータ読取り部に対してパーソナルデータの読み取りを一時的に停止させる読取り制御部と、
を含むことを特徴とする入場管理システム。
【請求項３】
パーソナルデータを保持する記録媒体からパーソナルデータを読み取り可能なパーソナルデータ読取り部と、
個人の指紋情報を読み取り可能な指紋情報読取り部と、
前記パーソナルデータが所定の許可パーソナルデータと一致し、かつ前記指紋情報が所定の許可指紋情報と一致した場合に入場を許容する入場制御部と、
前記パーソナルデータが前記所定の許可パーソナルデータと一致した場合、前記指紋情報読取り部に対して指紋の読み取りを一時的に停止させ、前記指紋情報が前記所定の許可指紋情報と一致した場合、前記パーソナルデータ読取り部に対してパーソナルデータの読み取りを一時的に停止させる読取り制御部と、
を含むことを特徴とする入場管理システム。
【請求項４】
個人の指紋情報を含むパーソナルデータを保持する記録媒体からパーソナルデータを読み取り可能なパーソナルデータ読取り部と、
個人の指紋情報を読み取り可能な指紋情報読取り部と、
前記パーソナルデータ読取り部で読み取ったパーソナルデータの指紋情報と、前記指紋情報読取り部で読み取った指紋情報との照合を行い、一致した場合に入場を許容する入場制御部と、
前記パーソナルデータの読み取りが行なわれると、前記パーソナルデータ読取り部に対して前記パーソナルデータの読み取りを一時的に停止させ、前記指紋情報の読み取りが行なわれると、前記指紋情報読取り部に対して指紋の読み取りを一時的に停止させる読取り制御部と、
を含むことを特徴とする入場管理システム。
【請求項５】
請求項２から請求項４のいずれか１項に記載のシステムにおいて、
前記入場制御部は、
入場者の単独通過を許容する狭幅通路の閉鎖を行うゲートの開閉を行うことを特徴とする入場管理システム。
【請求項６】
請求項１または請求項５に記載のシステムにおいて、
前記入場制御部は、前記挟幅通路の下流側に設けられ前記ゲートの開閉に連動する開閉ドアの開閉を行うことを特徴とする入場管理システム。
【請求項７】
請求項１から請求項４のいずれか１項に記載のシステムにおいて、
前記指紋情報読取り部の指挿入側には、指挿入補助用の立ち下がり部が形成されていることを特徴とする入場管理システム。
【請求項８】
請求項７記載のシステムにおいて、
前記パーソナルデータ読取り部は、
前記立ち下がり部の基部に形成されていることを特徴とする入場管理システム。
【発明の詳細な説明】
【０００１】
【発明の属する技術分野】
本発明は入場管理システム、特に、不正入場の排除や入場記録の管理をより確実に行うことのできる入場管理システムに関する。
【０００２】
【従来の技術】
従来から入場許可を受けた特定の人物のみに対して入場許可を行い通行や入室を許容すると共に、入場記録等を管理するシステムがある。最も単純なシステムとしては、監視員を配置し、入場者のチェックを行うものであるが、最近では、各種センサや個体認識装置の発達に伴い、無人で入場者の識別を行うことができる。その結果、自動で入場許可を行ったり入場記録を取得するシステムが広く利用されるようになった。
【０００３】
例えば、自動ドアの近傍、例えば側方壁面等にカード情報読取装置（例えば、磁気カードリーダやＩＣカードリーダ）等を配置し、予め入室が許可された人物のみが所持するカードの情報を前記カード情報読取装置に読み取らせ、そのカードの情報が予め登録された情報（入場許可情報）と一致した場合に自動ドアの開放許可を出して、入場を許容するとともに、読み取ったカードの情報に基づいて入場者の特定、入場時間等の管理を行っている。
【０００４】
また、同様なカード情報読取装置を用いた入場管理システムとして、鉄道や空港等の交通機関の改札口や遊園地や博物館の入場口等に配置された改札機がある。この改札機は、人間一人が通行可能な程度の挟幅通路の一部に開閉自在なゲート（フラップ）を配置して、所定のＩＣカードや切符（磁気カード）をカード情報読取装置に読み取らせ、そのＩＣカードや切符が入場を許可するデータを有する場合のみに前記ゲートの一時的な開放を行い入場を許容する。この場合も読み取ったＩＣカード等の情報に基づいて入場者の特定、入場時間、入場者数等の管理を行うことができる。
【０００５】
更にセキュリティ性の高い入場管理を行う技術として、指紋照合装置を用いたシステムがある。指紋照合装置は、予め入場を許可する個人の指紋（例えば、人差し指）を登録しておき、入場を希望する際に、入場希望者に対して指紋照合装置に人差し指をかざさせて指紋を読み取り、登録した指紋と、読み取った指紋との照合を行い、両者が一致した場合のみ自動ドア等の扉の開放許可を出して、入場を許容する。この場合も指紋の読み取り動作に基づいて、入場者の特定、入場時間等の管理を行うことができる。
【０００６】
【発明が解決しようとする課題】
しかしながら、前述したようなカード情報読取装置を用いたシステムでは、ＩＣカードや磁気カード等のカード使用者が正規所有者であるか否かの判断まではできない。そのため、不正にカードを取得した第三者等の入場が容易に可能である。また、カード情報読取装置や指紋照合装置を用いて自動ドア等の開閉制御を行うシステムにおいては、正規の入場許可者に対して自動ドアの開放が行われた時に、便乗して入場許可を受けていない第三者が入場することも可能であり、また、そのような第三者の入場記録を得ることができない。このように、不正入場者の排除や入場記録の正確な取得という点では、上述のシステムは不十分である。
【０００７】
また、一方で、正規入場許可者には、頻繁に入場許可を求める常駐者と極たまにしか入場許可を求めないゲスト入場者とが存在する。この場合、常駐者に対してはＩＣカードや磁気カードの取り扱いの煩雑さ（カードの所持やカードの読み取り作業等）を解消するために指紋照合装置の利用が適し、ゲスト入場者に対しては個人の照合データの入力や保持を簡略化するためにカードの使用（例えば、ゲスト用カードの付与）が適しているが、カード情報読取装置による入場管理システムと指紋照合装置による入場管理システムの併設は、スペースやコストの増加を招き好ましくない。
【０００８】
本発明は上記従来の課題に鑑みなされたものであり、その目的は、セキュリティ性が高く、不正入場の排除や入場記録の取得をより確実に行うことのできる入場管理システムを提供することにある。また、使い勝手がよく省スペース、省コストが実現できる入場管理システムを提供することにある。
【０００９】
【課題を解決するための手段】
上記目的を達成するために、本発明は、個人の指紋情報を読み取り可能な指紋情報読取り部と、開閉可能なゲートを有し入場者の単独通過を許容する狭幅通路と、前記指紋情報と予め登録された許可指紋情報が一致した場合に前記ゲートの開放を行う入場制御部と、前記指紋情報の読み取りが行なわれると、前記指紋情報読取り部に対して指紋の読み取りを一時的に停止させる読取り制御部と、を含むことを特徴とする。
【００１０】
ここで、入場者の単独通過を許容する狭幅通路とは、例えば人間一人が通常歩行姿勢で通過できる程度の幅の通路であり、例えば、平行に立設された壁面で形成され、開閉可能なゲートはその通路の閉鎖または開放を行う。
【００１１】
この構成によれば、予め登録された許可指紋情報と一致する指紋を有する入場許可を受けた許可者一人のみのゲート通過が許容され、従来指紋照合と組み合わせて用いられていたドア開閉制御に比して、単独でセキュリティ性の高い単独入場許可を容易に行うことができると共に、入場記録を正確に取得することができる。
【００１２】
上記目的を達成するために、本発明は、パーソナルデータを保持する記録媒体からパーソナルデータを読み取り可能なパーソナルデータ読取り部と、個人の指紋情報を読み取り可能な指紋情報読取り部と、前記パーソナルデータが所定の許可パーソナルデータと一致するか、あるいは前記指紋情報が所定の許可指紋情報と一致した場合に入場を許容する入場制御部と、前記パーソナルデータが前記所定の許可パーソナルデータと一致した場合、前記指紋情報読取り部に対して指紋の読み取りを一時的に停止させ、前記指紋情報が前記所定の許可指紋情報と一致した場合、前記パーソナルデータ読取り部に対してパーソナルデータの読み取りを一時的に停止させる読取り制御部と、を含むことを特徴とする。
【００１３】
ここで、パーソナルデータとは、個人を特定するデータであり、例えば、氏名（名称）や所属等の簡易的な情報であったり、更に詳細な個人情報であってもよい。また、記録媒体とは、例えば、磁気カードやＩＣカード等である。さらに、パーソナルデータ読取り部は、例えば、磁気読み取り装置や高周波タグを使用した非接触型の読取装置等である。
【００１４】
この構成によれば、パーソナルデータあるいは指紋情報が一致した場合に入場許可が行われるので、いずれか一方の方式で入場許可を受けていれば入場することができる。その結果、パーソナルデータで入場許可を受けた入場者と指紋情報で入場許可を受けた入場者との両方を単一のシステムで入場管理することができる。
【００１５】
上記目的を達成するために、本発明は、パーソナルデータを保持する記録媒体からパーソナルデータを読み取り可能なパーソナルデータ読取り部と、個人の指紋情報を読み取り可能な指紋情報読取り部と、前記パーソナルデータが所定の許可パーソナルデータと一致し、かつ前記指紋情報が所定の許可指紋情報と一致した場合に入場を許容する入場制御部と、前記パーソナルデータが前記所定の許可パーソナルデータと一致した場合、前記指紋情報読取り部に対して指紋の読み取りを一時的に停止させ、前記指紋情報が前記所定の許可指紋情報と一致した場合、前記パーソナルデータ読取り部に対してパーソナルデータの読み取りを一時的に停止させる読取り制御部と、を含むことを特徴とする。
【００１６】
この構成によれば、入場許可に関し、パーソナルデータと指紋情報とで二重チェックが可能になり、よりセキュリティ性を向上することができる。
【００１７】
上記目的を達成するために、本発明は、個人の指紋情報を含むパーソナルデータを保持する記録媒体からパーソナルデータを読み取り可能なパーソナルデータ読取り部と、個人の指紋情報を読み取り可能な指紋情報読取り部と、前記パーソナルデータ読取り部で読み取ったパーソナルデータの指紋情報と、前記指紋情報読取り部で読み取った指紋情報との照合を行い、一致した場合に入場を許容する入場制御部と、前記パーソナルデータの読み取りが行なわれると、前記パーソナルデータ読取り部に対して前記パーソナルデータの読み取りを一時的に停止させ、前記指紋情報の読み取りが行なわれると、前記指紋情報読取り部に対して指紋の読み取りを一時的に停止させる読取り制御部と、を含むことを特徴とする。
【００１８】
この構成によれば、入場制御部側に照合用の指紋情報を保持する必要が無いので、入場制御部側の記録部容量の縮小が可能になり、装置の小型化やコストダウンが可能になる。また、パーソナルデータから取得した許可指紋情報と指紋情読取り部で取得した指紋情報の照合にみで照合作業を行うことができるので、迅速かつ正確に入場許可の良否を判定することができる。さらに、入場希望者が記録媒体の正規所有者であるか否かの照合が可能になるので、よりセキュリティ性を向上することができる。
【００１９】
上記目的を達成するために、本発明は、上記構成において、前記入場制御部は、入場者の単独通過を許容する狭幅通路の閉鎖を行うゲートの開閉を行うことを特徴とする。
【００２０】
この構成によれば、入場許可が行われた入場希望者一人のみの通過が可能になり、よりセキュリティ性を向上することができる。
【００２１】
上記目的を達成するために、本発明は、上記構成において、前記入場制御部は、前記挟幅通路の下流側に設けられ前記ゲートの開閉に連動する開閉ドアの開閉を行うことを特徴とする。
【００２２】
この構成によれば、二重ゲート構造になり、仮にゲートのフラップを跨いだり飛び越したりされることがあっても、開閉ドアが閉まっていて通過できないのでよりセキュリティ性を向上することができる。
【００２３】
上記目的を達成するために、本発明は、上記構成において、前記指紋情報読取り部の指挿入側には、指挿入補助用の立ち下がり部が形成されていることを特徴とする。
【００２４】
ここで、前記指挿入補助用の立ち下がり部とは、指紋情報読取り部に指紋を読み取らせるために指を挿入する時に、挿入指以外の部分が指挿入動作に干渉することを回避するための逃げ部分であり、例えば、垂直面や斜面で形成されている。
【００２５】
この構成によれば、指紋情報読取り部に指紋を読み取らせるための指挿入を容易に行うことができる。
【００２６】
上記目的を達成するために、本発明は、上記構成において、前記パーソナルデータ読取り部は、前記立ち下がり部の基部に形成されていることを特徴とする。
【００２７】
この構成によれば、パーソナルデータ読取り部による記録媒体の提示と、指紋情報読取り部に対する指紋提示をスムーズに行うことが可能になる。例えば、指紋照合を行いつつ同じ手で記録媒体の提示が可能になり、指紋読み込み動作途中に記録媒体の読み込み動作を連続的にスムーズに行うことができる。
【００２８】
【発明の実施の形態】
以下、本発明の好適な実施の形態（以下、実施形態という）を図面に基づき説明する。図１（ａ），（ｂ）には、本実施形態の入場管理システム１０を挟幅通路に適用した場合の上面図及び通路側側面図が示され、図２（ａ），（ｂ）には、図１の入場管理システム１０の挟幅通路出口側及び入口側の側面図が示されている。
【００２９】
図１（ａ），（ｂ）に示すように、入場管理システム１０は、入場方向Ａに沿って配置される通路形成フレーム１２ａ，１２ｂを有し、当該通路形成フレーム１２ａ，１２ｂの対向距離Ｂは人間一人が通常歩行姿勢で通過できる程度の幅（例えば、６０ｃｍ程度）に設定され挟幅通路１４を形成している。挟幅通路１４を形成することにより、同じタイミングで複数の人間が通過すること（例えば、横並び）を防止し、確実な通過認識をできるようにしていると共に、不正通過を防止している。前記通路形成フレーム１２ａ，１２ｂの通路内側の一部（好ましくは、通路出口側に近い位置）に開閉自在なゲートとしてフラップ１６ａ，１６ｂが形成されている。このフラップ１６ａ，１６ｂは入場管理システム１０が通過許可待ちの場合に常時閉状態（図１（ａ）の実線で示す閉鎖状態及び図２（ａ），（ｂ）で示す状態）にロックされ、挟幅通路１４を通過することを禁止している。なお、フラップ１６ａ，１６ｂの通路出口側には図２（ａ）に示すように、進入禁止マーク１８等が付されることが好ましい。また、フラップ１６ａ，１６ｂは通過許可が行われた場合にのみ開状態（図１（ａ）の二点鎖線で示す状態）になり、通行許可者の通行を許容する。なお、本実施形態では、観音開きタイプのフラップ１６ａ，１６ｂを示しているが、通路の閉鎖及び開放が可能な手段であれば、任意の構造が採用可能であり、例えばスライド式等でもよい。また、図示を省略しているが、通路形成フレーム１２ａ，１２ｂの外側には、壁等が配置され通行は挟幅通路１４のみ可能になっている。
【００３０】
本実施形態においては通路形成フレーム１２ａ，１２ｂのいずれか一方の入口側（本実施形態の場合通路形成フレーム１２ａの入口側）に通行希望者が通行許可を求めるために提示する情報の読取装置が配置されている。本実施形態の場合情報の読取装置として、通行希望者の指紋情報を読み取る指紋情報読取り部を有する指紋情報読取器２０、通行希望者が提示可能なパーソナルデータが記録された記録媒体、例えば磁気カードやＩＣカード等のデータ（パーソナルデータ）を読み取るパーソナルデータ読取り部を有するパーソナルデータ読取装置２２（以下、カードリーダ２２という）が配置されている。なお、このカードリーダ２２は必要に応じて記録媒体に通過データの書き込みを行うリード／ライト機能を有してもよい。そして、次回のパーソナルデータの読み取りの時に、記録媒体に記録された履歴データを合わせて読み込み、入場管理に活用してもよい。
【００３１】
前記指紋情報読取器２０は、通行希望者が指定の指（例えば、人差し指）を挿入可能な指挿入部２０ａを有している。この指挿入部２０ａは、指紋検出面の保護（ゴミや汚れに対する保護）を行うと共に、指に帯電した静電気の放電を行うために開閉カバー等を有することが好ましい。指紋情報読取器２０は、通行希望者から読み取った指紋情報と予め登録されている許可指紋情報との照合を行い、一致した場合のみ通行許可を行う。この時、指紋情報の照合は、所定の特徴ポイント（複数点）で行ってもよいし、指紋全体で行ってもよい。
【００３２】
また、前記カードリーダ２２は、入場許可を行うために必要なパーソナルデータを記録した磁気カードをカード挿入口から受け入れ情報を読み取るカード挿入式の磁気情報読取装置あってもよいし、ＩＣカード側から送信される情報を受信して必要な情報を得る通信式のＩＣカード情報読取装置であってもよい。このＩＣカード情報読取装置の形態としては、ＩＣカード側に埋め込まれたバッテリの電力で送信される情報を受信するタイプやＩＣカード情報読取装置側のアンテナから送信される電波によりＩＣカード側が電力を得て、取得した電力で送信される情報を受信するタイプ（高周波タグ）等がある。特に、高周波タグは、ＩＣカード側にバッテリを必要としないので、長期に亘り情報の交換が可能なので有用である。また、通信の場合、ＩＣカードをＩＣカード情報読取装置側のアンテナの送受信エリア内にかざせば情報の送受が行えるので、利用者はＩＣカードを保持したままの容易な読込動作のみが要求され、ＩＣカード情報読取装置側は、ＩＣカードの搬送機構等を必要としないので、システムの使い勝手が向上すると共に、システム構成が簡略化される等の利点を有している。
【００３３】
図１（ｂ）に示されるように、指紋情報読取器２０の指挿入側、すなわち指挿入部２０ａの手前に、指挿入補助用の立ち下がり部２０ｂが形成されている。具体的には、指挿入部２０ａの手前側に段差が設けられ、指挿入部２０ａに指を挿入しようとしたときに、挿入以外の指が邪魔にならないように逃げ空間を形成している。図１（ｂ）において、前記立ち下がり部２０ｂは、ほぼ垂直に形成されているが、指の干渉を回避できれば、傾斜面で形成しても曲面で形成してもよい。また、図１（ｂ）に示すように、本実施形態では、立ち下がり部２０ｂの基部にカードリーダ２２を配置している。このように、カードリーダ２２を指紋情報読取器２０の手前側に配置することにより、指紋情報読取器２０とカードリーダ２２による読み取り動作の両方が必要になった場合に両方の動作を連続的にスムーズに行うことができる。つまり、指紋照合を行う側の手でＩＣカード等の保持が可能になり、指紋の提示と同時にＩＣカードの提示が可能になり、指紋読み込み動作途中にＩＣカード等の情報の読み込み動作が可能になる。また、指紋情報読取器２０またはカードリーダ２２のいずれかの使用を促す場合でも、指紋情報読取器２０とカードリーダ２２とが段違いに配置されていることにより、２種類の読取装置の識別が容易になり使い勝手が向上する。
【００３４】
また、指紋情報読取器２０には、ディスプレイ２０ｃが配置され、指紋情報読取器２０やカードリーダ２２の動作案内や入場管理システム１０全体の動作案内等を表示している。もちろん、上述のような動作案内を行うディスプレイの配置は任意であり、例えば、入場管理システム１０の近傍の壁面や挟幅通路１４の進路方向の前方位置に大型ディスプレイ等を配置してもよい。また、これらの動作案内は、音声のみまたは表示と音声の両方で行うようにしてもよい。
【００３５】
この他、通路形成フレーム１２ａ，１２ｂには、挟幅通路１４の通過状況を検出する通過検出センサが配置されている。この通過検出センサは、例えば、光透過型や静電容量型のセンサで、所定の範囲の通過を確認可能なエリアセンサ（複数の検出ヘッドを有する）で構成されることが好ましく、本実施形態では、フラップ１６ａ，１６ｂの入口側に第１領域センサ２４ａ、出口側に第２領域センサ２４ｂが配置されている。この第１領域センサ２４ａと第２領域センサ２４ｂの反応タイミングによって、挟幅通路１４の通過方向や不正通行者の検出を行うことができる。また、通路形成フレーム１２ａ，１２ｂには、不正の通行行為を行った場合等のアラーム表示や入場管理システムの動作状態の表示を行う表示灯２６が配置されている。もちろんこれらのアラームは、前記ディスプレイ２０ｃや入場管理システム１０の周囲に配置された動作案内を行うディスプレイ等を用いてもよいし、アラームを音声で単独または表示と合わせて行ってもよい。
【００３６】
図３には、本実施形態の入場管理システム１０に含まれる入場制御部２８の構成ブロック図が示されている。入場制御部２８は、ＣＰＵ３０を中心に構成されている。ＣＰＵ３０には、指紋情報読取器２０で読み取った指紋情報と入場制御部２８側が有する許可指紋情報との照合を行う指紋情報照合部３２、カードリーダ２２で読み取ったＩＣカード等からの情報（パーソナルデータ）と、入場制御部２８側が有するカード情報（許可パーソナルデータ）との照合を行うカード情報照合部３４、各種情報の照合結果に基づきフラップ１６ａ，１６ｂの開閉を行うフラップ駆動部３６、更に、後述する自動ドア３８の開閉制御を行うドア駆動部４０、入場管理システム１０の動作案内やアラーム表示、動作状態等をディスプレイ２０ｃや他のディスプレイに表示するための表示切換部４２、第１領域センサ２４ａ、第２領域センサ２４ｂからの信号に基づき挟幅通路１４の通過状況を検出する領域検出部４４、他の上位機器４６、例えば、入場管理システム１０を設置した建物等の全体管理を行うコンピュータや入場管理システム１０に入場を許可する基本データ（パーソナルデータや許可指紋情報等）を入力するコンピュータとの通信（有線や無線）を行う上位通信部４８等が接続されている。
【００３７】
続いて、入場制御部２８における制御手順を図４、図５のフローチャートに従って説明する。
【００３８】
実施形態１．
まず、指紋情報読取器２０により取得する入場希望者の指紋情報、または、カードリーダ２２により取得する入場希望者のパーソナルデータのいずれかの照合により挟幅通路１４の通行の許可を行う場合を図４のフローチャートを用いて説明する。
【００３９】
前述したように、正規に入場許可を求める者には、頻繁に入場許可を求める常駐者と極たまにしか入場許可を求めないゲスト入場者とが存在する。この場合、常駐者に対してはＩＣカードや磁気カードの取り扱いの煩雑さ（カードの所持やカードの読み取り作業等）を解消するために指紋照合による入場許可が適している。一方、一回のみの入場や数ヶ月に一度の入場しか希望しないゲスト入場者に対しては個人の照合データを入力したりシステムに保持することは、入力の手間やデータ保持のためのメモリ領域確保等を考慮すると実用的ではない。特に入場希望者本人であるか否かまで確認できる指紋照合は、セキュリティ性や入場記録の正確性の点では有効であるが、登録しておく指紋情報のデータ量が大きいためゲスト入場者のための指紋照合データの保存は、あまり好ましくない。そこで、本実施形態１では、入用希望者に応じて、入場許可の形態を選択できるように構成している。
【００４０】
まず、入場管理システム１０が稼動を開始すると、カードリーダ２２によるカード読み取り待機状態（Ｓ１００−１）あるいは、指紋情報読取器２０による指紋読み取り待機状態（Ｓ１００−２）になる。この時、カードリーダ２２の周囲には、例えば緑ランプを点灯させ、指紋情報読取器２０の指挿入部２０ａの周囲には、例えば、赤ランプを点灯させれば、入場希望者の注意を容易に引くことができる。そして、ＣＰＵ３０は表示切換部４２を介してディスプレイ２０ｃあるいは、他の部分に配置されたディスプレイに、『カードを緑ランプの位置にかざすか、指を赤ランプ位置に挿入して下さい。』等の表示を行う。なお、この案内は、音声等で行ってもよい。
【００４１】
もし、入場希望者が、ＩＣカードをカードリーダ２２にかざした場合、ＩＣカードに記録された入場希望者のパーソナルデータが読み取られる（Ｓ１０１−１）。前記ＩＣカードは、一定の入場許可条件を取得している人物のみに個人所有品として発行されるものや一時的に臨時発行されるもがある。ＩＣカードに記録されているパーソナルデータは、所持者が常駐者等頻繁に入場許可を求める人物である場合、例えば、氏名、所属、入場許可先等の個人を特定する情報であり、極たまにしか入場許可を求めないゲスト入場者の場合、ゲストＮＯ、入場許可先等のゲストを特定する情報である。（Ｓ１０１−１）において、パーソナルデータの読み取りが行われたら、新たなＩＣカードの提示、すなわち他の人物による別のＩＣカードの提示を禁止するために、カードの読み取りを一時停止すると共に、ＣＰＵ３０は表示切換部４２を介してディスプレイ２０ｃ等で、『照合中』等の表示を行う（Ｓ１０２−１）。
【００４２】
カードリーダ２２によりＩＣカードのパーソナルデータの読み取りが行われたら、カード情報照合部３４は、予め入場制御部２８に登録されている許可パーソナルデータとの照合を行う（Ｓ１０３−１）。前記許可パーソナルデータは、正規に入場許可が行われている人物の情報であり、ＩＣカードの記録されているパーソナルデータに対応する項目が記載されている。もし、登録された許可パーソナルデータと（Ｓ１０１−１）で読み取ったパーソナルデータが一致した場合、一時的に指紋による入場許可判定を禁止するために指紋情報読取器２０の動作を停止する（Ｓ１０４−１）。
【００４３】
また、登録された許可パーソナルデータと（Ｓ１０１−１）で読み取ったパーソナルデータが一致しない場合、領域検出部４４を介して第１領域センサ２４ａ、第２領域センサ２４ｂの状態をチェックして、入場許可前に挟幅通路１４に進入してる者がいるか否かのチェックを行う。まず、第１領域センサ２４ａがＯＮしたか否かを検出する（Ｓ１０５−１）。第１領域センサ２４ａがＯＮしていない場合は、入場許可前の挟幅通路１４への進入はないと判断して、（Ｓ１００−１）に戻り、正規の入場許可手続きを促す。一方、第１領域センサ２４ａがＯＮした場合、フラップ１６ａ，１６ｂを突破して（乗り越えて）挟幅通路１４の出口側に向かう人物がいるか否かの判断を行うため、第２領域センサ２４ｂがＯＮしたか否かの判断を行う（Ｓ１０６−１）。第２領域センサ２４ｂがＯＮしない場合、前述したような不正入場が無いものと判断して、（Ｓ１００−１）に戻り、正規の入場許可手続きを促す。
【００４４】
一方、第２領域センサ２４ｂのＯＮが確認された場合、不正入場が行われたものと判断して、入場制御部２８は不正処理を実行する（Ｓ１０７−１）。この不正処理は、例えば、警報の発令、監視用カメラの動作開始（記録の開始等）または動作切り換え（常時動作のカメラのズームアップや不正前後を含む記録内容の保存）、時刻の記録等が行われ、入場管理システム１０による入場管理処理の全面停止等の緊急処理を施す（Ｓ１０８−１）。
【００４５】
一方、入場希望者が、自分の指を指紋情報読取器２０の指挿入部２０ａに挿入した場合、指紋情報読取器２０によって入場希望者の指紋情報が読み取られる（Ｓ１０１−２）。指紋は人物特定を正確に行うことができるため、特に常駐者等頻繁に入場許可を求める人物の入場管理を行う場合や特に重要度の高い場所への入場管理に適している。（Ｓ１０１−２）において、指紋情報の読み取りが行われたら、新たな指紋の提示、すなわち他の人物による指紋提示を禁止するために、指紋読み取りを一時停止すると共に、ＣＰＵ３０は表示切換部４２を介してディスプレイ２０ｃ等で、『照合中』等の表示を行う（Ｓ１０２−２）。
【００４６】
指紋情報読取器２０により指紋情報の読み取りが行われたら、指紋情報照合部３２は、予め入場制御部２８に登録されている許可指紋情報との照合を行う（Ｓ１０３−２）。前記許可指紋情報は、正規に入場許可が行われている人物が予め登録した情報であり、許可指紋情報の中には、指紋情報と共に、氏名、所属、入場許可場所等が関連付けて記録されていると共に、更に詳細情報を含んでもよい。もし、登録された許可指紋情報と（Ｓ１０１−２）で読み取った指紋情報が一致した場合、一時的にＩＣカードによる入場許可判定を禁止するためにカードリーダ２２の動作を停止する（Ｓ１０４−２）。
【００４７】
また、登録された許可指紋情報と（Ｓ１０１−２）で読み取った指紋情報が一致しない場合、カードリーダ２２における処理と同様に、第１領域センサ２４ａ、第２領域センサ２４ｂを状態をチェックして、入場許可前に挟幅通路１４に進入してる者がいるか否かのチェックを行う（Ｓ１０５−２〜Ｓ１０８−２）。
【００４８】
そして、照合ＯＫの結果が得られ、（Ｓ１０４−１）または（Ｓ１０４−２）において、いずれかの読み取り動作が停止したことが確認されると、入場制御部２８のＣＰＵ３０は、フラップ１６ａ，１６ｂの開放許可を出す（Ｓ１０９）。この時、フラップ１６ａ，１６ｂの開放動作の安全及びフラップ１６ａ，１６ｂの開放前の挟幅通路１４への侵入者の排除を行うため、再度、領域検出部４４を介して第１領域センサ２４ａ、第２領域センサ２４ｂがＯＮしているか否かの確認を行う（Ｓ１１０）。この時、もし、第１領域センサ２４ａまたは第２領域センサ２４ｂのＯＮが確認された場合、侵入者を挟幅通路１４から退かせるために、ＣＰＵ３０は表示切換部４２を介してディスプレイ２０ｃ（または、壁面等のディスプレイ）により『戻って下さい。』等の警告を表示し（Ｓ１１１）、退いたか否かを再確認するために、第１領域センサ２４ａ、第２領域センサ２４ｂの動作状態の確認を行う。なお、この警告は、音声で行ってもよい。
【００４９】
（Ｓ１１０）で第１領域センサ２４ａ、第２領域センサ２４ｂのＯＮが確認されない場合、安全にフラップ１６ａ，１６ｂの開放が行えると判断して、ＣＰＵ３０はフラップ駆動部３６に対して開放指示を出して、フラップ１６ａ，１６ｂの開放を行う（Ｓ１１２）。同時に、ＣＰＵ３０は表示切換部４２を介してディスプレイ２０ｃ（または、壁面等のディスプレイ）により『お通り下さい。』等の表示を行う（Ｓ１１３）。この表示も音声で行ったり、音声と表示を併用してもよい。
【００５０】
この後、入場制御部２８のＣＰＵ３０は、フラップ１６ａ，１６ｂの閉鎖タイミングを検出するため、再度、領域検出部４４を介して第１領域センサ２４ａ、第２領域センサ２４ｂの動作状態の確認を行う。まず、領域検出部４４を介して第１領域センサ２４ａがフラップ１６ａ，１６ｂの開放指示後にＯＮしたか否かを確認する（Ｓ１１４）。もし、第１領域センサ２４ａがＯＮしたことが確認できた場合、入場許可を得た人物が挟幅通路１４を通り、第１領域センサ２４ａを通過したと判断して、更に、第２領域センサ２４ｂがフラップ１６ａ，１６ｂの開放指示後にＯＮしたか否かを確認する（Ｓ１１５）。そいて、第１領域センサ２４ａ及び第２領域センサ２４ｂがＯＮ動作後、ＯＦＦ動作（非検出状態）したことが確認された場合（Ｓ１１６）、入場許可を得た人物が挟幅通路１４を通り、フラップ１６ａ，１６ｂを通過し、入場を完了したと判断して、ＣＰＵ３０はフラップ駆動部３６を介してフラップ１６ａ，１６ｂの閉動作を行い（Ｓ１１７）、次の入場許可要求に備えて、処理スタート状態（Ｓ１００−１）及び（Ｓ１００−２）に戻る。
【００５１】
また、ＣＰＵ３０は（Ｓ１１４）において、第１領域センサ２４ａがＯＮしない場合も、第２領域センサ２４ｂの動作確認を行う（Ｓ１１８）。この時、第２領域センサ２４ｂがＯＮしない場合、挟幅通路１４を誰も通過していないと判断して、（Ｓ１１３）に戻り、『お通り下さい。』の標示を継続し、入場を促す。一方、第１領域センサ２４ａがＯＮしない状態で第２領域センサ２４ｂがＯＮした場合、フラップ１６ａ，１６ｂの開放に乗じて、挟幅通路１４を逆進する人物がいると判断して、ＣＰＵ３０は、フラップ駆動部３６を介して、フラップ１６ａ，１６ｂの閉動作を行うと共に（Ｓ１１９）、表示切換部４２を介してディスプレイ２０ｃ（または、壁面等のディスプレイ）により『通れません。』等の警告を行う（Ｓ１２０）。この警告も音声及び音声と表示の併用で行ってもよい。この場合、入場希望者に対しては、ＣＰＵ３０は、処理スタート状態（Ｓ１００−１）及び（Ｓ１００−２）に戻り、再度、入場許可手続きを促す。
【００５２】
このように、実施形態１によれば、単一の入場管理システム１０により複数人数の同時通過を確実に排除しつつ、入場希望者に応じて、指紋照合と、記録媒体（ＩＣカード等）照合を使い分け、入場許可を行うことが可能になるので、セキュリティ性を向上しつつ、使い勝手のよい入場管理システムを実現することができる。また、指紋照合システムと、記録媒体（ＩＣカード等）照合システムの融合により配置スペースやコストの増加を招かない入場管理システムを実現することができる。
【００５３】
なお、本実施形態１において、指紋情報読取器２０のみを設けた構成にすれば、入場希望者の指紋情報を全て記録する必要があるが、不正入場を確実に排除できるよりセキュリティ性の高いシステムを構築することができる。
【００５４】
実施形態２．
図５に示すフローチャートを用いて、更にセキュリティ性を向上することのできる入場管理システム１０の制御手順を説明する。本実施形態２においては、指紋照合と、記録媒体（ＩＣカード等）照合を併用している。つまり、両者の照合結果が共に一致した場合にのみ入場許可を行っている。
【００５５】
まず、入場管理システム１０が稼動を開始すると、カードリーダ２２によるカード読み取り待機状態（Ｓ２００−１）及び、指紋情報読取器２０による指紋読み取り待機状態（Ｓ２００−２）になる。この時、カードリーダ２２の周囲には、例えば緑ランプを点灯させ、指紋情報読取器２０の指挿入部２０ａの周囲には、例えば、赤ランプを点灯させれば、入場希望者の注意を容易に引くことができる。また、ＣＰＵ３０は表示切換部４２を介してディスプレイ２０ｃあるいは、他の部分に配置されたディスプレイに、『カードを緑ランプの位置にかざし、さらに指を赤ランプ位置に挿入して下さい。』等の表示を行う。なお、この案内は、音声や表示と音声の組み合わせで行ってもよい。
【００５６】
入場希望者が、ＩＣカードをカードリーダ２２にかざすと、ＩＣカードに記録された入場希望者のパーソナルデータが読み取られる（Ｓ２０１−１）。ＩＣカードに記録されているパーソナルデータは前述した実施形態１と同様の内容である。（Ｓ２０１−１）において、パーソナルデータの読み取りが行われたら、新たなＩＣカードの提示、すなわち他の人物による別のＩＣカードの提示を禁止するために、カードの読み取りを一時停止する（Ｓ２０２−１）。また、入場希望者が、自分の指を指紋情報読取器２０の指挿入部２０ａに挿入したら、指紋情報読取器２０によって入場希望者の指紋が読み取られる（Ｓ２０１−２）。（Ｓ２０１−２）において、指紋情報の読み取りが行われたら、新たな指紋の提示、すなわち他の人物による指紋提示を禁止するために、指紋読み取りを一時停止する（Ｓ２０２−２）。
【００５７】
そして、入場制御部２８のＣＰＵ３０は、カードリーダ２２によりＩＣカードのパーソナルデータの読み取りが行われたら、カード情報照合部３４に対して、予め入場制御部２８に登録されている許可パーソナルデータとの照合を行わせ、指紋情報読取器２０により指紋情報の読み取りが行われたら、指紋情報照合部３２に対して、予め入場制御部２８に登録されている許可指紋情報との照合を行わせる。そして、カード情報照合部３４による照合と指紋情報照合部３２による照合の両方が一致しているか否かの判断を行う（Ｓ２０３）。
【００５８】
もし、両方の照合が一致した場合、入場制御部２８のＣＰＵ３０は、フラップ１６ａ，１６ｂの開放許可を出す（Ｓ２０４）。開放許可が出された後の処理に関しては、前述した実施形態１と同じであり、同様のステップ番号（Ｓ１１０〜Ｓ１２０）を付し、その説明を省略する。
【００５９】
一方、（Ｓ２０３）において、カード情報照合部３４による照合と指紋情報照合部３２による照合のいずれか一方、または両方が一致していない場合、ＣＰＵ３０は表示切換部４２を介してディスプレイ２０ｃ（または、壁面等のディスプレイ）により『データが正しくありません。』や『入場できません。』等の案内を表示する（Ｓ２０５）。この案内は音声で行っても音声と表示とを併用してもよい。そして、ＣＰＵ３０は、実施形態１と同様に、領域検出部４４を介して、第１領域センサ２４ａ、第２領域センサ２４ｂの状態をチェックして、入場許可前に挟幅通路１４に進入してる者がいるか否かのチェックを行う。まず、第１領域センサ２４ａがＯＮしたか否かを検出する（Ｓ２０６）。第１領域センサ２４ａがＯＮしていない場合は、入場許可前の挟幅通路１４への進入はないと判断して、（Ｓ２００−１）及び（Ｓ２００−２）に戻り、正規の入場許可手続きを促す。一方、第１領域センサ２４ａがＯＮした場合、フラップ１６ａ，１６ｂを突破して（乗り越えて）挟幅通路１４の出口側に向かう人物がいるか否かの判断を行うため、第２領域センサ２４ｂがＯＮしたか否かの判断を行う（Ｓ２０７）。第２領域センサ２４ｂがＯＮしない場合、前述したような不正入場が無いものと判断して、（Ｓ２００−１）及び（Ｓ２００−２）に戻り、正規の入場許可手続きを促す。
【００６０】
一方、第２領域センサ２４ｂのＯＮが確認された場合、不正入場が行われたものと判断して、入場制御部２８は不正処理を実行する（Ｓ２０８）。この不正処理は、例えば、警報の発令、監視用カメラの動作開始（記録の開始等）または動作切り換え（常時動作のカメラのズームアップや不正前後を含む記録内容の保存）、時刻の記録等が行われ、入場管理システム１０による入場管理処理の全面停止等の緊急処理を施す（Ｓ２０９）。
【００６１】
このように、実施形態２によれば、単一の入場管理システム１０により複数人数の同時通過を確実に排除しつつ、二重の照合チェックにより極めてセキュリティ性の高い入場管理を行うことができる。
【００６２】
実施形態３．
実施形態２においては、カードリーダ２２により読み取ったパーソナルデータの照合と、指紋情報読取器２０により読み取った指紋情報の照合の両方を行うことにより、セキュリティ性の向上を図ったが、実施形態３においては、セキュリティ性の向上を行いつつ、入場管理システムの簡略化を行う例を説明する。
【００６３】
実施形態３においてもカードリーダ２２によるＩＣカード等の記録媒体からのパーソナルデータの読み取りと、指紋情報読取器２０による指紋情報の読み取りを行う。しかし、ＩＣカード等の記録媒体には、前述したような入場希望者の氏名や所属等に加え、入場希望者の指紋情報が記憶されている。ＣＰＵ３０は、カードリーダ２２で読み取ったパーソナルデータの中から指紋情報を抽出し、指紋情報照合部３２に転送する。当該指紋情報照合部３２では、転送されてきたＩＣカードからの指紋情報を許可指紋情報として認識し、指紋情報読取器２０で読み取った指紋情報と比較照合を行い、両者が一致した場合にのみ、挟幅通路１４の通過許可を行う。
【００６４】
このように、ＩＣカード等入場希望者が携帯する記録媒体側に許可指紋情報を記憶させることにより、入場制御部２８側でデータ量の大きな指紋情報を保持する必要が無くなり、入場管理システム１０側のメモリ容量等を縮小することが可能になり、システムに小型化、低コスト化が行える。また、指紋情報照合部３２において、指紋照合をする場合も照合対象が転送されてきたカードリーダ２２で取得した指紋情報（許可指紋情報）と指紋情報読取器２０で取得した指紋情報であるため、前述した実施形態のように入場制御部２８側に記憶した大量の許可指紋情報の中から指紋情報読取器２０で取得した指紋情報に対応する許可指紋情報を抽出する必要が無くなり、照合作業を迅速かつ正確に行うことができる。
【００６５】
なお、実施形態３の制御フローチャートは、図５に示す実施形態２のフローチャートにおいて、（Ｓ２０３）が、『ＩＣカードからの指紋情報（許可指紋情報）と指紋情報読取器からの指紋情報の照合がＯＫか？』になり、他のステップは同じである。
【００６６】
また、実施形態３において、ＩＣカードに含まれる氏名や所属等の情報と入場制御部２８側で保持するパーソナルデータの比較を同時に行えばよりセキュリティ性を向上することができる。
【００６７】
前述した各実施形態において、挟幅通路１４を入場許可を得ることなく通過する不正者の入場を阻止するために、挟幅通路１４の下流側に、挟幅通路１４の入場許可と連動する自動ドア３８（図３参照）を配置することが望ましい。つまり、図４のフローチャートの（Ｓ１０９）や図５のフローチャートの（Ｓ２０４）で通過許可が出た時にドア駆動部４０により自動ドア３８を開放するようにすれば、二重のゲート構造とすることができるので、万が一挟幅通路１４を入場許可を得ることなく通過した人物がいても更に先に入場することを確実に阻止することが可能になる。
【００６８】
なお、図１（ａ），（ｂ）及び図２（ａ），（ｂ）に示す入場管理システム１０の通路形態は一例であり、一度の入場許可に対し一人の通過を許容する構造であれば、各実施形態と同様な効果を得ることができる。また、ＩＣカード等の記録媒体に記憶されるパーソナルデータの内容も一例であり、必要に応じてデータ項目を増減しセキュリティ性の調整を行うことが好ましい。
【００６９】
また、図４、図５に示すフローチャートおける制御手順も一例であり、図４のフローチャートにおいては、カードリーダ２２によるＩＣカード等の記録媒体からのパーソナルデータの読み取りの結果が許可パーソナルデータと一致するか、指紋情報読取器２０による指紋情報の読み取りの結果と許可指紋情報とが一致した場合に通過許可を出すと共に、適宜挟幅通路１４の通過状態のチェックを行う構成であれば、制御手順も適宜変更可能であり、実施形態１と同様な効果を得ることができる。同様に、図５のフローチャートにおいては、カードリーダ２２によるＩＣカード等の記録媒体からのパーソナルデータの読み取りの結果が許可パーソナルデータと一致し、かつ指紋情報読取器２０による指紋情報の読み取りの結果と許可指紋情報とが一致した場合に通過許可を出すと共に、適宜挟幅通路１４の通過状態のチェックを行う構成であれば、制御手順も適宜変更可能であり、実施形態２と同様な効果を得ることができる。
【００７０】
【発明の効果】
以上説明したように、本発明によれば、セキュリティ性が高く、不正入場の排除や入場記録の取得をより確実に行うことのできる入場管理システムを得ることができる。また、使い勝手がよく省スペース、省コストで実現できる入場管理システムを得ることができる。
【図面の簡単な説明】
【図１】  本発明の実施の形態に係る入場管理システムを適用した挟幅通路の上面図及び通路側側面図である。
【図２】  本発明の実施の形態に係る入場管理システムを適用した挟幅通路の出口側側面図及び入口側側面図である。
【図３】  本発明の実施の形態に係る入場管理システムの入場制御部の詳細を示す構成ブロック図である。
【図４】  本発明の実施の形態に係る入場管理システムの実施形態１の制御手順を説明するフローチャートである。
【図５】  本発明の実施の形態に係る入場管理システムの実施形態２の制御手順を説明するフローチャートである。
【符号の説明】
１０  入場管理システム、１２ａ，１２ｂ  通路形成フレーム、１４  挟幅通路、１６ａ，１６ｂ  フラップ、２０  指紋情報読取器、２２  パーソナルデータ読取装置（カードリーダ）。
【図１】
0004521918.tif 000002
【図２】
0004521918.tif 000003
【図３】
0004521918.tif 000004
【図４】
0004521918.tif 000005
【図５】
0004521918.tif 000006